(57)【要約】【課題】電子機器に対するユーザの習熟度、すなわちユーザの操作状況をある程度考慮して、該当頁の表示の有無を決定する。【解決手段】マイコン２１は、ＴＶ信号処理部２４のＯＳＤ回路２４ａを制御して、表示部２６に当該装置の機能や操作方法等のメニュー画面を表示する。この場合、マイコン２１は、表示部２６に表示しているメニュー画面上の任意の項目が一定時間（例えば５〜１０秒等）以上選択されなかった場合には、一定時間経過時にメニュー画面上のカーソルが位置している項目について取扱説明書の該当箇所を表示する。または、メニュー画面上の全項目について取扱説明書の該当箇所をそれぞれ表示する。【選択図】図１
2007279994.tif 000002
【特許請求の範囲】
【請求項１】
ＯＳＤ（オンスクリーンディスプレイ）機能を制御して表示手段に当該装置の機能や操作方法等のメニュー画面を表示する表示制御手段を備えた電子機器において、
前記表示制御手段は、前記表示手段に表示しているメニュー画面上の任意の項目を選択する決定キーが一定時間以上押されなかった場合であって、前記一定時間の間、カーソルが１つの項目位置にのみある場合には、そのカーソルが位置している項目について取扱説明書の該当箇所を表示する一方、前記一定時間の間にカーソルが移動していた場合には、メニュー画面上の全項目について取扱説明書の該当箇所をそれぞれ表示することを特徴とするＯＳＤ機能を有する電子機器。
【請求項２】
ＯＳＤ（オンスクリーンディスプレイ）機能を制御して表示手段に当該装置の機能や操作方法等のメニュー画面を表示する表示制御手段を備えた電子機器において、
前記表示制御手段は、前記表示手段に表示しているメニュー画面上の任意の項目が一定時間以上選択されなかった場合には、一定時間経過時にメニュー画面上のカーソルが位置している項目について取扱説明書の該当箇所を表示することを特徴とするＯＳＤ機能を有する電子機器。
【請求項３】
前記表示制御手段は、前記一定時間の間、カーソルが１つの項目位置にある場合にのみ、そのカーソルが位置している項目について取扱説明書の該当箇所を表示することを特徴とする請求項２に記載のＯＳＤ機能を有する電子機器。
【請求項４】
前記表示制御手段は、前記一定時間の間にカーソルが移動していた場合には、メニュー画面上の全項目について取扱説明書の該当箇所をそれぞれ表示することを特徴とする請求項２または請求項３に記載のＯＳＤ機能を有する電子機器。
【請求項５】
ＯＳＤ（オンスクリーンディスプレイ）機能を制御して表示手段に当該装置の機能や操作方法等のメニュー画面を表示する表示制御手段を備えた電子機器において、
前記表示制御手段は、前記表示手段に表示しているメニュー画面上の任意の項目が一定時間以上選択されなかった場合には、一定時間経過時にメニュー画面上の全項目について取扱説明書の該当箇所をそれぞれ表示することを特徴とするＯＳＤ機能を有する電子機器。
【請求項６】
前記表示制御手段は、全項目について取扱説明書の該当箇所をそれぞれ表示する場合において、カーソルが位置している項目については他の項目と表示色を異ならせて表示することを特徴とする請求項５に記載のＯＳＤ機能を有する電子機器。
【請求項７】
前記表示制御手段は、表示している該当箇所を参照するか否かの問い合わせ画面を表示し、参照することが選択された場合には、当該メニュー画面の表示状態を通常設定されている所定時間より長い時間確保するように制御することを特徴とする請求項２ないし請求項６のいずれかに記載のＯＳＤ機能を有する電子機器。
【請求項８】
前記表示制御手段は、該当箇所が表示されている項目が選択された場合には、選択された次の画面上にも前記該当箇所を表示することを特徴とする請求項２ないし請求項６のいずれかに記載のＯＳＤ機能を有する電子機器。
【請求項９】
前記一定時間はユーザによって任意に設定可能であることを特徴とする請求項２または請求項５に記載のＯＳＤ機能を有する電子機器。
【発明の詳細な説明】
【技術分野】
【０００１】
本発明は、ＯＳＤ（オンスクリーンディスプレイ）機能を有する電子機器に係り、より詳細には、メニュー画面の各項目に取扱説明書の該当頁を最適なタイミングで表示する電子機器に関する。
【背景技術】
【０００２】
近年、テレビジョン受信装置を初め、ビデオテープレコーダ、ＤＶＤレコーダ、ハードディスク（ＨＤ）レコーダ等の電子機器には、文字や映像情報等を画面上に表示するＯＳＤ（オンスクリーンディスプレイ）機能が搭載されている。ユーザは、電子機器の各種機能の設定等を行う場合、このＯＳＤ機能を利用して電子機器の表示部にメニュー画面を表示し、そのメニュー画面に表示された各項目を選択しながら、各種設定を行うことになる。この場合、設定する各項目は多岐にわたるため、これらの設定を何の知識もなく行うことは至難の技である。そのため、これらの電子機器には取扱説明書が用意されており、機器の設定に際しユーザは、この取扱説明書を読みながら各種の設定を行うことになる。
【０００３】
この場合、従来は、メニュー画面に表示された項目から調べたい項目を選ぶと、取扱説明書を開いて、その項目の説明が記載されている頁を目次欄から探し出すことになるが、多機能化が進む現在の電子機器では取扱説明書に記載されている項目数や頁数も増加しているため、知りたい項目の頁を即座に探し出すことが難しい状況となっている。
【０００４】
そこで、このような状況に鑑み、メニュー画面の制御内容に対応した取扱説明書の該当頁を、そのメニュー画面に表示するようにした装置が提案されている（例えば、特許文献１参照）。
【０００５】
この特許文献１に記載の装置は、入力部によって機器設定の操作が行われると、画面上に機器設定するためのメニュー画面を表示するのであるが、このとき、メニュー画面に表示された全項目に対応した取扱説明書の該当頁を同時に表示するようになっている。従ってユーザは、全ての項目にそれぞれの該当頁が表示されているので、ある項目について取扱説明書を読みたい場合には、その項目の横に表示されている取扱説明書の該当頁を開くことで、その項目の設定操作等を容易に認識することができるようになっている。
【特許文献１】特開平１０−５１７０８号公報
【発明の開示】
【発明が解決しようとする課題】
【０００６】
上記したように、特許文献１のものでは、メニュー画面に表示された全項目についてそれぞれ該当頁が表示されるようになっている。しかし、ユーザによってはその電子機器の操作に精通している者もおり、このように機器に精通している者にとっては、メニュー画面の全項目の横にいちいち該当頁が表示されるのは、煩わしい場合もある。また、該当頁を常に表示することで、そのメニュー画面全体が見ずらくなったり、また、該当頁を表示することで他の情報が表示できなくなってしまうといった問題もあった。
【０００７】
一方、メニュー画面の全項目の横に該当頁を常に表示することは、不慣れなユーザにとっては便利なものである。
【０００８】
本発明はかかる実情に鑑みて創案されたもので、その目的は、電子機器に対するユーザの習熟度、すなわちユーザの操作状況をある程度考慮して、該当頁の表示の有無を決定するようにしたＯＳＤ機能を有する電子機器を提供することにある。
【課題を解決するための手段】
【０００９】
上記課題を解決するため、本発明のＯＳＤ機能を有する電子機器は、ＯＳＤ機能を制御して表示手段に当該装置の機能や操作方法等のメニュー画面を表示する表示制御手段を備えた電子機器において、前記表示制御手段は、前記表示手段に表示しているメニュー画面上の任意の項目が一定時間以上選択されなかった場合には、一定時間経過時にメニュー画面上のカーソルが位置している項目について取扱説明書の該当箇所を表示することを特徴とする。
【００１０】
このような特徴を有する本発明によれば、ユーザが機器に精通している場合には、一定時間（例えば５〜１０秒等）が経過する前に決定キーを押す等して次の画面に進むので、該当箇所（例えば、該当頁）が表示されることはない。一方、機器に不慣れな者にとっては、メニュー画面を見て迷っていると、一定時間経過時に取扱説明書の該当頁が表示されるので、ユーザは、取扱説明書の該当頁を開くことで、その項目の内容を知ることが可能となる。すなわち、本発明によれば、電子機器に対するユーザの習熟度、すなわちユーザの操作状況を考慮して、該当頁の表示をすることが可能となる。つまり、ユーザが項目の選択に本当に迷ったときだけ、取扱説明書の該当頁を表示できるようになっている。
【００１１】
この場合前記表示制御手段は、前記一定時間の間、カーソルが１つの項目位置にある場合にのみ、そのカーソルが位置している項目について取扱説明書の該当箇所を表示する構成としてもよい。一定時間の間、カーソルが１つの項目位置にあるということは、ユーザがその項目でよいかどうかを迷っていると考えられるので、この場合には、その迷っている項目のみ取扱説明書の該当頁を表示する。これにより、ユーザの操作状況に合わせた該当頁の表示が可能となる。
【００１２】
また、前記表示制御手段は、前記一定時間の間にカーソルが移動していた場合には、メニュー画面上の全項目について取扱説明書の該当箇所をそれぞれ表示する構成としてもよい。一定時間の間にカーソルが移動しているということは、ユーザがメニュー画面上のどの項目を選択したらよいかを迷っていると考えられるので、この場合には、メニュー画面上の全項目について取扱説明書の該当箇所をそれぞれ表示する。これにより、ユーザの操作状況に合わせた該当頁の表示が可能となる。
【００１３】
また、本発明のＯＳＤ機能を有する電子機器は、ＯＳＤ機能を制御して表示手段に当該装置の機能や操作方法等のメニュー画面を表示する表示制御手段を備えた電子機器において、前記表示制御手段は、前記表示手段に表示しているメニュー画面上の任意の項目が一定時間以上選択されなかった場合には、一定時間経過時にメニュー画面上の全項目について取扱説明書の該当箇所をそれぞれ表示することを特徴とする。
【００１４】
このような特徴を有する本発明によれば、ユーザが機器に精通している場合には、一定時間（例えば５〜１０秒等）が経過する前に決定キーを押す等して次の画面に進むので、該当箇所（例えば、該当頁）が表示されることはない。一方、機器に不慣れな者にとっては、メニュー画面を見て迷っていると、一定時間経過時に取扱説明書の該当頁が表示されるので、ユーザは、取扱説明書の該当頁を開くことで、その項目の内容を知ることが可能となる。すなわち、本発明によれば、電子機器に対するユーザの習熟度、すなわちユーザの操作状況を考慮して、該当頁の表示をすることが可能となる。つまり、ユーザが項目の選択に本当に迷ったときだけ、取扱説明書の該当頁を表示できるようになっている。
【００１５】
この場合、前記表示制御手段は、全項目について取扱説明書の該当箇所をそれぞれ表示する場合において、カーソルが位置している項目については他の項目と表示色を異ならせて表示する構成としてもよい。カーソルが１つの項目位置にあるということは、ユーザがその項目でよいかどうかを迷っていると考えられるので、この場合には、その迷っている項目のみ取扱説明書の該当頁の表示色を異ならせる。例えば、他の項目は黒色表示とし、カーソルが位置している項目は赤色表示とする。これにより、ユーザの操作状況に合わせて該当頁を強調表示することが可能となる。
【００１６】
また、本発明によれば、前記表示制御手段は、表示している該当箇所（該当頁）を参照するか否かの問い合わせ画面を表示し、参照することが選択された場合には、当該メニュー画面の表示状態を通常設定されている所定時間より長い時間確保するように制御する構成としてもよい。メニュー画面等は、通常、何ら操作されることなく所定時間（例えば１分等）が経過すると、その表示を停止（画面上から消去）するようになっている。しかし、取扱説明書の該当頁を参照することを選択した場合には、当然にその頁を読む時間が必要であり、その間、ユーザはメニュー画面を操作することはない。このような場合に、所定時間が経過したからといってその表示を画面上から消去したのでは、ユーザが説明書を読み終わって次の操作に進もうとしたとき、再度メニュー画面の表示から行わなければならなくなる。そこで、本発明では、このような手間を省くため、取扱説明書の該当頁を参照することを選択した場合には、メニュー画面の表示継続時間を通常の所定時間（例えば、１分等）より長い例えば３分等とし、この３分間は何ら操作されなくてもメニュー画面を表示するように構成している。これにより、ユーザの操作状況に応じた画面表示が可能となる。
【００１７】
また、本発明によれば、前記表示制御手段は、該当箇所が表示されている項目が選択された場合には、選択された次の画面上にも前記該当箇所を表示する構成としてもよい。このように、次の画面に進んだ場合にも、取扱説明書の該当箇所（該当頁）を続けて表示することで、ユーザがその時点で取扱説明書を読もうとしたときに、わざわざ画面を一つ元に戻すといった操作が不要となる。
【００１８】
なお、上記一定時間は、ユーザによって任意に設定可能としてもよい。これにより、個々のユーザ自身の使い方に応じて、取扱説明書の該当頁を表示することが可能となる。
【発明の効果】
【００１９】
本発明によれば、表示手段に表示しているメニュー画面上の任意の項目が一定時間以上選択されなかった場合には、一定時間経過時にメニュー画面上のカーソルが位置している項目または全項目について、取扱説明書の該当箇所を表示する構成としたので、電子機器に対するユーザの習熟度、すなわちユーザの操作状況を考慮して、最適なタイミングで該当頁を表示することができる。すなわち、ユーザが項目の選択に本当に迷ったときだけ、取扱説明書の該当頁を表示することができる。
【００２０】
この場合、一定時間の間、カーソルが１つの項目位置にある場合にのみ、そのカーソルが位置している項目について取扱説明書の該当箇所を表示する構成とすることで、ユーザの操作状況に合わせた該当頁の表示が可能となる。また、一定時間の間にカーソルが移動していた場合には、メニュー画面上の全項目について取扱説明書の該当箇所をそれぞれ表示する構成とすることで、ユーザの操作状況に合わせた該当頁の表示が可能となる。
【００２１】
さらに、全項目について取扱説明書の該当箇所をそれぞれ表示する場合において、カーソルが位置している項目については他の項目と表示色を異ならせて表示する構成としたので、ユーザの操作状況に合わせて該当頁のみを強調表示することができる。さらにまた、一定時間は、ユーザによって任意に設定可能とすることで、個々のユーザ自身の使い方に応じて、取扱説明書の該当頁を表示することが可能となる。
【発明を実施するための最良の形態】
【００２２】
以下、本発明の実施の形態について、図面を参照して説明する。
【００２３】
図１は、本発明のＯＳＤ機能を有する電子機器の一実施形態であるテレビジョン受信装置の要部の電気的構成を示す機能ブロック図である。ただし、本実施形態では、テレビジョン受信装置による映像及び音声の信号処理については従来周知の処理であるので、ここではＴＶ信号処理部として簡単な機能ブロックで示している。
【００２４】
すなわち、本実施形態のテレビジョン受信装置は、ＴＶ制御系２０の全体を制御するマイコン２１を備えている。そして、デジタル／アナログ放送のテレビジョン信号を受信するチューナ回路２２の出力は、ＴＶ信号処理部２４に接続されており、ＴＶ信号処理部２４の出力は、ＣＲＴまたはディスプレイ等の表示部２６に接続されている。また、ＴＶ信号処理部２４の出力は、増幅器２７を介して内部スピーカ２８に接続されている。ＴＶ信号処理部２４は、テレビジョン受信装置側の各種設定を行うためのセットアップ画面を含む各種設定画面をメニュー画面として表示するためのＯＳＤ回路２４ａを備えている。
【００２５】
マイコン２１は、ＴＶ信号処理部２４と双方向に接続されており、チューナ回路２２を介して受信したテレビジョン信号を映像信号や音声信号に復号し、映像信号を表示部２６に表示するとともに音声信号を内部スピーカ２８から出力するように、ＴＶ信号処理部２４を制御する。
【００２６】
また、マイコン２１には、後述する一定時間や所定時間を計測するタイマー回路２５が接続されている。さらに、マイコン２１には、リモコン送信機４１からの各種操作信号を受信する受信部３１の出力が接続されている。マイコン２１は、このリモコン送信機４１から送信されてくる各種操作信号に基づいて、ＴＶ制御系２０の動作制御を行うようになっている。
【００２７】
また、マイコン２１は、ＴＶ信号処理部２４のＯＳＤ回路２４ａを制御して、ＴＶ側の各種設定を行うためのメニュー画面をＯＳＤ表示するようになっている。
【００２８】
以下、マイコン２１によるメニュー画面のＯＳＤ表示処理について、具体的に実施例を挙げて説明する。
【実施例１】
【００２９】
本実施例１は、メニュー画面のＯＳＤ表示の基本的な処理の実施例であり、一定時間経過時にカーソル位置の項目の取扱説明書の該当頁を表示する実施例である。以下、図２（ａ），（ｂ）に示す表示画面例及び図３に示すフローチャートを参照して説明する。
【００３０】
ユーザが、リモコン送信機４１の図示しないメニューキーを操作すると、マイコン２１は、表示部２６に図２（ａ）に示すようなセットアップメニュー画面（以下、単に「メニュー画面」という。）を表示する（ステップＳ１）。すなわち、このときのメニュー画面は、当該装置の機能設定や操作方法等の各項目のみが表示されており、これに対応する取扱説明書の該当頁はまだ表示されていない。
【００３１】
これと同時に、マイコン２１は、タイマー回路２５を起動して、一定時間（例えば、５秒等）の計測を開始する（ステップＳ２）。そして、この計測中に、マイコン２１は、リモコン送信機４１の図示しない決定キーが操作されてメニュー画面中の任意の項目が選択されたか否か（ステップＳ３）、またはその選択前に一定時間が経過したか否か（ステップＳ４）を監視する。
【００３２】
その結果、一定時間が経過する前に決定キーが押された場合（ステップＳ３でＹｅｓと判断された場合）には、従来通り、その決定キーによって選択されたメニュー画面上の所定の項目を実行するために、表示部２６に次の操作画面が表示されることになる（ステップＳ６）。すなわち、ユーザが当該装置に精通している場合には、一定時間が経過する前に決定キーを押す等して次の画面に進むので、その項目に関する取扱説明書の該当頁が表示されることはない。
【００３３】
一方、決定キーが押されることなく一定時間が経過した場合（ステップＳ３でＮｏ、ステップＳ４でＹｅｓと判断された場合）には、図２（ｂ）に示すように、一定時間経過時にメニュー画面上のカーソル５１が位置している項目の横に、その項目の取扱説明書の該当頁を表示する（ステップＳ５）。すなわち、機器に不慣れな者にとっては、メニュー画面を見て迷っていると、一定時間経過時に取扱説明書の該当頁が表示されるので、ユーザは、取扱説明書の該当頁を開くことで、その項目の内容を知ることが可能となる。
【００３４】
すなわち、本実施例１によれば、当該装置に対するユーザの習熟度、すなわちユーザの操作状況を考慮して、該当頁の表示をすることが可能となる。つまり、ユーザが項目の選択に本当に迷ったときだけ、取扱説明書の該当頁を表示するようになっている。
【実施例２】
【００３５】
本実施例２は、上記実施例１の変形実施例であり、一定時間の間のカーソルの動作状態によって該当頁の表示形態を変える実施例である。以下、図４に示すフローチャート及び図２（ａ）〜（ｃ）に示す表示画面例を参照して説明する。
【００３６】
ユーザが、リモコン送信機４１の図示しないメニューキーを操作すると、マイコン２１は、表示部２６に図２（ａ）に示すようなメニュー画面を表示する（ステップＳ１１）。すなわち、このときのメニュー画面は、当該装置の機能設定や操作方法等の各項目のみが表示されており、これに対応する取扱説明書の該当頁はまだ表示されていない。
【００３７】
これと同時に、マイコン２１は、タイマー回路２５を起動して、一定時間（例えば、５秒等）の計測を開始する（ステップＳ１２）。そして、この計測中に、マイコン２１は、リモコン送信機４１の図示しない決定キーが操作されてメニュー画面中の任意の項目が選択されたか否か（ステップＳ１３）、またはその選択前に一定時間が経過したか否か（ステップＳ１４）を監視する。
【００３８】
その結果、一定時間が経過する前に決定キーが押された場合（ステップＳ１３でＹｅｓと判断された場合）には、従来通り、その決定キーによって選択されたメニュー画面上の所定の項目を実行するために、表示部２６に次の操作画面が表示されることになる（ステップＳ１８）。すなわち、ユーザが当該装置に精通している場合には、一定時間が経過する前に決定キーを押す等して次の画面に進むので、その項目に関する取扱説明書の該当頁が表示されることはない。
【００３９】
一方、決定キーが押されることなく一定時間が経過した場合（ステップＳ１３でＮｏ、ステップＳ１４でＹｅｓと判断された場合）には、次に、その一定時間の間、カーソル５１がメニュー画面上を移動したか（すなわち、項目間を移動したか）否かを確認する（ステップＳ１５）。その結果、一定時間の間、カーソル５１が１つの項目位置にあった場合（ステップＳ１５でＮｏと判断された場合）には、図２（ｂ）に示すように、一定時間経過時にメニュー画面上のカーソル５１が位置している項目のみの横に、その項目の取扱説明書の該当頁を表示する（ステップＳ１６）。一定時間の間、カーソル５１が１つの項目位置にあるということは、ユーザがその項目でよいかどうかを迷っていると考えられるので、この場合には、その迷っている項目のみ取扱説明書の該当頁を表示する。これにより、ユーザの操作状況に合わせた該当頁の表示が可能となる。
【００４０】
一方、一定時間の間にカーソル５１が項目間を移動していた場合（ステップＳ１５でＹｅｓと判断された場合）には、図２（ｃ）に示すように、メニュー画面上の全項目について取扱説明書の該当箇所をそれぞれ表示する（ステップＳ１７）。一定時間の間にカーソル５１が移動しているということは、ユーザがメニュー画面上のどの項目を選択したらよいかを迷っていると考えられるので、この場合には、メニュー画面上の全項目について取扱説明書の該当箇所をそれぞれ表示する。
【００４１】
このように、機器に不慣れな者にとっては、メニュー画面を見て迷っていると、一定時間経過時に取扱説明書の該当頁が表示されるので、ユーザは、取扱説明書の該当頁を開くことで、その項目の内容を知ることが可能となる。
【００４２】
すなわち、本実施例２によれば、当該装置に対するユーザの操作状況を考慮して、該当頁の表示をすることが可能となる。つまり、ユーザが項目の選択に本当に迷ったときだけ、取扱説明書の該当頁を表示するようになっている。
【実施例３】
【００４３】
本実施例３は、メニュー画面のＯＳＤ表示の他の実施例であり、一定時間経過時に全項目の取扱説明書の該当頁を表示する実施例である。以下、図５に示すフローチャート及び図２（ａ），（ｃ）に示す表示画面例を参照して説明する。
【００４４】
ユーザが、リモコン送信機４１の図示しないメニューキーを操作すると、マイコン２１は、表示部２６に図２（ａ）に示すようなメニュー画面を表示する（ステップＳ２１）。すなわち、このときのメニュー画面は、当該装置の機能設定や操作方法等の各項目のみが表示されており、これに対応する取扱説明書の該当頁はまだ表示されていない。
【００４５】
これと同時に、マイコン２１は、タイマー回路２５を起動して、一定時間（例えば、５秒等）の計測を開始する（ステップＳ２２）。そして、この計測中に、マイコン２１は、リモコン送信機４１の図示しない決定キーが操作されてメニュー画面中の任意の項目が選択されたか否か（ステップＳ２３）、またはその選択前に一定時間が経過したか否か（ステップＳ２４）を監視する。
【００４６】
その結果、一定時間が経過する前に決定キーが押された場合（ステップＳ２３でＹｅｓと判断された場合）には、従来通り、その決定キーによって選択されたメニュー画面上の所定の項目を実行するために、表示部２６に次の操作画面が表示されることになる（ステップＳ２６）。すなわち、ユーザが当該装置に精通している場合には、一定時間が経過する前に決定キーを押す等して次の画面に進むので、その項目に関する取扱説明書の該当頁が表示されることはない。
【００４７】
一方、決定キーが押されることなく一定時間が経過した場合（ステップＳ２３でＮｏ、ステップＳ２４でＹｅｓと判断された場合）には、図２（ｃ）に示すように、一定時間経過時にメニュー画面上の全項目のそれぞれの横に、その項目の取扱説明書の該当頁を表示する（ステップＳ２５）。すなわち、機器に不慣れな者にとっては、メニュー画面を見て迷っていると、一定時間経過時に取扱説明書の該当頁が表示されるので、ユーザは、取扱説明書の該当頁を開くことで、その項目の内容を知ることが可能となる。
【００４８】
すなわち、本実施例３によれば、当該装置に対するユーザの操作状況を考慮して、該当頁の表示をすることが可能となる。つまり、ユーザが項目の選択に本当に迷ったときだけ、取扱説明書の該当頁を表示するようになっている。
【実施例４】
【００４９】
本実施例４は、上記実施例３の変形実施例である。
【００５０】
すなわち、上記実施例３では、決定キーが押されることなく一定時間が経過した場合（ステップＳ２３でＮｏ、ステップＳ２４でＹｅｓと判断された場合）には、図２（ｃ）に示すように、一定時間経過時にメニュー画面上の全項目のそれぞれの横に、その項目の取扱説明書の該当頁を表示するようになっているが、このとき、本実施例４では、カーソルが位置している項目については他の項目と表示色を異ならせて表示する。すなわち、図２（ｃ）に示す例では、カーソル５１は「ＰＩＣＴＵＲＥ」の項目に位置しているので、この「ＰＩＣＴＵＲＥ」の横に表示している該当頁の「ｐａｇｅ  １２」を例えば赤色で表示し、他の項目「ＣＨ  ＳＥＴＵＰ」と「ＴＩＭＥＲ」の項目の横に表示している該当頁の「ｐａｇｅ  ９」と「ｐａｇｅ  ２３」を例えば黒色表示とする。これにより、ユーザが選択に迷っていると考えられる項目の該当頁を強調表示することが可能となる。
【実施例５】
【００５１】
本実施例５は、上記各実施例１〜４で表示した該当頁を参照することをメニュー画面上でユーザが選択した場合の実施例である。通常、メニュー画面等は、何ら操作されることなく所定時間（例えば１分等）が経過すると、その表示を停止（画面上から消去）するように予め設定されている。本実施例５は、この所定時間の扱いに関する実施例である。ただし、本実施例５は上記実施例１の表示例に適用した場合について説明する。
【００５２】
すなわち、メニュー画面を表示後、決定キーが押されることなく一定時間が経過した場合（図２のステップＳ４でＹｅｓと判断された場合）、マイコン２１は、図６に示すように、一定時間経過時にメニュー画面上のカーソル５１が位置している項目の横に、その項目の取扱説明書の該当頁を表示するとともに、その該当頁を参照するか否かを確認するための「参照」と記載された確認ボタンを合わせて表示する。この例では、カーソル５１が位置している「ＰＩＣＴＵＲＥ」（ｐａｇｅ  １２）の横に表示されている。
【００５３】
ここで、ユーザが、リモコン送信機４１を操作してこの「参照」ボタンを選択すると、マイコン２１は、メニュー画面の表示時間（すなわち、メニューオフ時間）のデフォルト値である所定時間（例えば１分等）を、より長い例えば３分等に変更する。すなわち、その後３分間は、メニュー画面上で何ら操作されなくても、そのメニュー画面の表示状態を維持するようになっている。なお、この時間変更は、当該メニュー画面上で任意の項目が選択された場合には、再び通常のデフォルト値（１分等）に戻るようになっている。
【００５４】
取扱説明書の該当頁を参照することを選択した場合には、当然にその頁を読む時間が必要であり、その間、ユーザはメニュー画面を操作することはない。このような場合に、デフォルト値である所定時間（例えば１分等）が経過したからといってその表示を画面上から消去したのでは、ユーザが取扱説明書を読み終わって次の操作に進もうとしたとき、再度メニュー画面の表示から行わなければならなくなる。本実施例５はこのようなユーザの手間を省くため、取扱説明書の該当頁を参照することを選択した場合には、メニュー画面の表示継続時間を通常の所定時間（例えば１分等）より長い例えば３分等とするものである。これにより、ユーザの操作状況に応じた画面表示が可能となる。
【実施例６】
【００５５】
本実施例６は、上記各実施例１〜４で該当頁を表示した後、その該当頁を表示した項目が選択された場合の実施例である。ただし、本実施例６は上記実施例１の表示例に適用した場合について説明する。
【００５６】
すなわち、図２（ｂ）に示すようにカーソル５１位置の項目の横に該当頁が表示された状態において、ユーザが該当頁が表示された項目（この例では、「ＰＩＣＴＵＲＥ」）を選択すると、マイコン２１は、ＯＳＤ回路２４ａを制御して、図７に示すような「ＴＩＮＴ（色合い）」、「ＣＯＬＯＲ（色彩）」、「ＢＲＩＧＨＴ（明るさ）」といった項目の画質調整画面に進むことになる。この場合、図２（ｂ）に示すように、メニュー画面の「ＰＩＣＴＵＲＥ」の横に該当頁が表示されていた場合には、この画質調整画面に進んだとき、図７（ａ）に示すように、各項目の横にそれぞれの該当頁を同時に表示するようにしてもよい。すなわち、一つ前の画面の表示状態に合わせて、その後の画面表示を順次行うように構成してもよい。
【００５７】
一方、図７（ｂ）に示すように、次の画質調整画面に進んだときも、その時点では該当頁を表示せず、図２の処理を再度実行するようにしてもよい。すなわち、一定時間経過しても決定キーが押されない場合にのみ、図７（ｃ）に示すように、該当頁を表示するようにしてもよい。なお、この例ではカーソル５１が位置している「ＣＯＬＯＲ（色彩）」の項目の横にのみ該当頁を表示しているが、これは上記実施例２に合わせた表示例であり、全項目の横に該当頁を表示してもよい。
【００５８】
また、この画質調整画面から一つ前のメニュー画面に戻ったときも、２つの表示形態が考えられる。一つは、図２（ｂ）に示すように、該当頁を表示した状態のままの画面に戻る場合であり、もう一つは、図２（ａ）に示すように、該当頁は表示せず、従来通りのメニュー画面に戻る場合である。
【００５９】
なお、上記各実施例１〜６では、一定時間については予め設定されているものとして説明しているが、この一定時間はユーザによって任意に設定可能としてもよい。これにより、個々のユーザ自身の使い方に応じて、取扱説明書の該当頁を表示することが可能となる。
【００６０】
また、上記各実施例１〜６では、メニュー画面の各項目に対応した該当箇所として、冊子である取扱説明書の該当頁を表示する構成として説明しているが、この取扱説明書がメモリ部２９に電子データとして保存されており、表示部２６に表示して参照するようになっている場合には、図８（ａ），（ｂ）に示すように、メニュー画面の各項目に対応した該当箇所として電子データ内の該当チャプタ番号を表示することになる。
【産業上の利用可能性】
【００６１】
本発明のＯＳＤ機能を有する電子機器は、テレビジョン受信装置を初め、ビデオテープレコーダ、ＤＶＤレコーダ、ハードディスク（ＨＤ）レコーダ等の、文字や映像情報等を画面上に表示するＯＳＤ機能が搭載されている電子機器全般に利用可能である。
【図面の簡単な説明】
【００６２】
【図１】本発明のＯＳＤ機能を有する電子機器の一実施形態であるテレビジョン受信装置の要部の電気的構成を示す機能ブロック図である。
【図２】表示画面例を示す説明図である。
【図３】メニュー画面のＯＳＤ表示処理の実施例１を示すフローチャートである。
【図４】メニュー画面のＯＳＤ表示処理の実施例２を示すフローチャートである。
【図５】メニュー画面のＯＳＤ表示処理の実施例３を示すフローチャートである。
【図６】実施例５の表示画面例を示す説明図である。
【図７】実施例６の表示画面例を示す説明図である。
【図８】該当箇所の他の表示例を示す説明図である。
【符号の説明】
【００６３】
２０  ＴＶ制御系
２１  マイコン
２２  チューナ回路
２４  ＴＶ信号処理部
２４ａ  ＯＳＤ回路
２５  タイマー回路
２６  表示部
２７  増幅器
２８  スピーカ
２９  メモリ部
３０  受信部
４１  リモコン送信機
【図１】
2007279994.tif 000003
【図２】
2007279994.tif 000004
【図３】
2007279994.tif 000005
【図４】
2007279994.tif 000006
【図５】
2007279994.tif 000007
【図６】
2007279994.tif 000008
【図７】
2007279994.tif 000009
【図８】
2007279994.tif 000010